(57)【要約】【課題】簡易な構成でテーブルと物品載置棚とが組合せられ、物品載置棚に対してテーブルを容易に位置調整させることが可能であるとともに、テーブルに対して物品載置棚を端に配置した使用形態ではテーブルの端の部分が支障とならないようにすることが可能な組合せ家具を提供する。【解決手段】組合せ家具１は、複数の脚体７、及び複数の脚体によって支持された天板６を有するテーブル２と、棚板、及び棚板の前後両側に脚体がそれぞれ配置されるように天板が貫通して延設される開口２３を有する物品載置棚３と、を備え、棚板のうち、天板よりも下方に位置するものは、天板が挿通される挿通方向Ｄの少なくとも一方に設けられ、脚体を内部に収容する収容部１５を有する。【選択図】図３
2011024631.tif 000002
【特許請求の範囲】
【請求項１】
複数の脚体、及び該複数の脚体によって支持された天板を有するテーブルと、
棚板、及び該棚板の前後両側に前記脚体がそれぞれ配置されるように前記天板が挿通される開口を有する物品載置棚と、
を備え、
前記棚板のうち、前記天板よりも下方に位置するものは、前記天板が挿通される挿通方向の少なくとも一方に設けられ、前記脚体を内部に収容する収容部を有することを特徴とする組合せ家具。
【請求項２】
前記物品載置棚は、前記挿通方向と交差する方向の両側で前記棚板を支持する一対の側板を有し、
前記棚板の縁部が前記一対の側板の縁部よりも前記挿通方向の内側に位置することで、前記収容部が形成されていることを特徴とする請求項１に記載の組合せ家具。
【請求項３】
前記天板は一対の側板間に少なくとも一方で左右方向に隙間を有して配設されていることを特徴とする請求項２に記載の組合せ家具。
【請求項４】
前記テーブルは、前記天板が平面視で長方形に形成されているとともに、
前記脚体が、前記天板の前記下面の四隅にそれぞれ取り付けられて構成されていることを特徴とする請求項１から請求項３のいずれかに記載の組合せ家具。
【請求項５】
前記収容部の前記挿通方向に交差する方向の幅は、前記テーブルの前記挿通方向に交差する方向に隣り合う２つの脚体の外側同士の幅寸法と等しく設定されていることを特徴とする請求項４に記載の組合せ家具。
【請求項６】
前記物品載置棚が、前記開口が設けられた位置において上下に分割可能とされていることを特徴とする請求項１から請求項５のいずれかに記載の組合せ家具。
【発明の詳細な説明】
【技術分野】
【０００１】
本発明は、テーブルと物品載置棚と組み合わせた組合せ家具に関する。
【背景技術】
【０００２】
従来、テーブルを使用する際に用いる書籍、教科書、資料等の物品を効率的に載置・収納するために、テーブルの近くに書籍等を収納する物品載置棚を設置した組合せ家具が検討されている。そのような組合せ家具の一つとして、例えば、特許文献１に示すようなユニット机がある。
このユニット机は、背の高い棚ユニット（物品載置棚）と、この棚ユニットに挿入され棚ユニット内の受け手段により受支される机天板（テーブル）と、机天板の挿入方向の一方の端部に設けられた支承手段と、机天板の他方の端部に設けられた支持板とを備えている。
【０００３】
棚ユニットは、対向するように配置された一対の側板と、一対の側板の間に水平面に沿って配置された複数の棚板とを有する。そして、棚板によって一対の側板の間で、机天板が配設される奥行き方向全体にわたって物品が配置可能となっている。
棚ユニットには、挿入方向に貫通する収納部空間が形成されていて、この収納部空間内に前述の受け手段が設けられている。
受け手段は、棚ユニットの一対の側板間に懸架された棚板を有していて、机天板はこの棚板上に載置され受支される。机天板の棚ユニットに挿入される部分には、挿入方向に所要の間隔をおいて棚ユニットに向かって左右２列の孔が設けられ、他方、収納部空間内の棚板上の前方には左右２つの突起が設けられている。
この棚板上の２つの突起を机天板のいずれか２つの孔に嵌合させることにより、机天板が棚板に対して位置決めされる。そして、２つの突起に嵌合させる２つの穴を適宜選択することにより、棚ユニットから挿入方向の両側にそれぞれ延びる机天板の長さを調節する。
【０００４】
支承手段は、机天板の一方の端部から下方に延びる支承板と、支承板の側面に固着され床面上に載置される袖机とを備えている。支承板にはネジ挿入孔が上下方向に適当な間隔をおいて複数列設され、袖机の側面にはネジ孔が形成されている。
支持板は上下方向に延び、下方側の端部が床面上に載置され、上方側の端部が机天板の他方の端部に固定されている。
そして、ネジを支承板の所望のネジ挿入孔に挿通した後でネジ孔に固定することにより、机天板の高さを調節することができるとされる。
【先行技術文献】
【特許文献】
【０００５】
【特許文献１】実開昭５９−１２０９２９号公報、図５
【発明の概要】
【発明が解決しようとする課題】
【０００６】
しかしながら、特許文献１に示すユニット机では、机天板を棚ユニットに支持されるようにするため、受け手段を備える必要があった。また、棚ユニットとしても机天板及び机天板上に載置される物品として想定される重量を支持するだけの強固な構造とする必要があった。また、棚ユニットに対して机天板を挿入方向に移動させて机天板の挿入方向のいずれかの端部を棚ユニット側に当接させると、支承手段又は支持板が棚ユニットから外側にはみ出してしまう。このため、物品載置棚の机天板の端部を当接させた側で、他の設備を配置したり、当該側を壁面に寄せて配置したりする際に支障となってしまうという問題があった。
また、受け手段の棚板に設けられた突起に机天板に設けられた孔を嵌合させるには、一般的に大型の家具である机天板を一度持ち上げる必要があるので、多大な労力を要する。
【０００７】
本発明は、このような問題点に鑑みてなされたものであって、簡易な構成でテーブルと物品載置棚とが組合せられ、物品載置棚に対してテーブルを容易に位置調整させることが可能であるとともに、テーブルに対して物品載置棚を端に配置した使用形態ではテーブルの端の部分が支障とならないようにすることが可能な組合せ家具を提供することを目的とする。
【課題を解決するための手段】
【０００８】
上記課題を解決するために、この発明は以下の手段を提案している。
本発明の組合せ家具は、複数の脚体、及び該複数の脚体によって支持された天板を有するテーブルと、棚板、及び該棚板の前後両側に前記脚体がそれぞれ配置されるように前記天板が挿通される開口を有する物品載置棚と、を備え、前記棚板のうち、前記天板よりも下方に位置するものは、前記天板が挿通される挿通方向の少なくとも一方に設けられ、前記脚体を内部に収容する収容部を有することを特徴としている。
【０００９】
この発明によれば、棚板の前後両側にテーブルの脚体がそれぞれ配置されているので、テーブルは自身の複数の脚体の間に棚板を挟みながら自立した状態である。このため、物品載置棚に対してテーブルを容易に移動させることができる。
また、棚板のうち天板よりも下方に位置するものは収容部を有するので、テーブルを移動して物品載置棚をテーブルの端に配置した状態では、テーブルの挿通方向一方の側の脚体を収容部内に収容させた状態とすることができる。このため、テーブルに対して物品載置棚を端に配置した使用形態で、脚体が物品載置棚からはみ出すことで他の設備を使用したり、壁面に寄せて使用したりする際に支障とならないようにすることができる。
【００１０】
また、上記の組合せ家具において、前記物品載置棚は、前記挿通方向と交差する方向の両側で前記棚板を支持する一対の側板を有し、前記棚板の縁部が前記一対の側板の縁部よりも前記挿通方向の内側に位置することで、前記収容部が形成されていることがより好ましい。
この発明によれば、棚板の縁部に脚体を当接させるように配置することで、棚板の収容部内に脚体を容易に収容し、物品載置棚内部内に配置された状態とすることができる。
【００１１】
また、上記の組合せ家具において、前記天板は一対の側板間に少なくとも一方で左右方向に隙間を有して配設されていることがより好ましい。
この発明によれば、天板の位置を一対の側板間で調整することができる。
【００１２】
また、上記の組合せ家具において、前記テーブルは、前記天板が平面視で長方形に形成されているとともに、前記脚体が、前記天板の前記下面の四隅にそれぞれ取り付けられて構成されていることがより好ましい。
この発明によれば、テーブルの隣り合う２つの脚体を収容部内に収容することで、物品載置棚から脚体だけでなく天板も、挿通方向の一方にはみ出してしまわないようにすることができる。
【００１３】
また、上記の組合せ家具において、前記収容部の前記挿通方向に交差する方向の幅は、前記テーブルの前記挿通方向に交差する方向に隣り合う２つの脚体の外側同士の幅寸法と等しく設定されていることがより好ましい。
この発明によれば、収容部内において２つの脚体が嵌合された状態になることで、この２つの脚体を挿通方向に交差する方向に位置決めすることができる。
【００１４】
また、上記の組合せ家具において、前記物品載置棚が、前記開口が設けられた位置において上下に分割可能とされていることがより好ましい。
この発明によれば、物品載置棚を開口が設けられた位置において上下に分割して上側の部分を取り外した状態で、テーブルを物品載置棚の下側の部分上に棚板の両側に脚体がそれぞれ位置するように配置する。そして、物品載置棚の下側の部分上に上側の部分を連結することで、物品載置棚の開口内にテーブルの天板が挿通された状態に、物品載置棚とテーブルを容易に組み合わせることができる。
【発明の効果】
【００１５】
本発明の組合せ家具によれば、簡易な構成でテーブルと物品載置棚とが組合せられ、物品載置棚に対してテーブルを容易に位置調整させることが可能であるとともに、テーブルに対して物品載置棚を端に配置した使用形態ではテーブルの端の部分が支障とならないようにすることができる。
【図面の簡単な説明】
【００１６】
【図１】本発明の実施形態の組合せ家具の第一の使用形態における斜視図である。
【図２】同デスク装置の第一の使用形態における一部を破断した平面図である。
【図３】同デスク装置の第一の使用形態における側面の断面図である。
【図４】同デスク装置の物品載置棚の下側板と上側板を分離したときの状態を示す説明図である。
【図５】同デスク装置の第二の使用形態における斜視図である。
【図６】本発明の実施形態の変形例の組合せ家具の第一の使用形態における一部を破断した平面図である。
【図７】本発明の実施形態の変形例の組合せ家具の物品載置棚の側面の断面図である。
【発明を実施するための形態】
【００１７】
以下、本発明に係る組合せ家具の実施形態を、図１から図７を参照しながら説明する。
図１に示すように、この組合せ家具１は、使用者が上部で作業を行うテーブル２と、内部に書籍等を収納する物品載置棚３とを備え、必要に応じて物品載置棚３に対してテーブル２を所定の方向に移動させ、使用形態を変えて使用するものである。
以下では、まず、組合せ家具１の第一の使用形態について説明する。なお、説明の便宜のため、物品載置棚３に対してテーブル２が配置されている方向を前方とする。
【００１８】
図１及び図２に示されるように、テーブル２は、平面視で長方形形状に形成された天板６と、天板６の下面の四隅にそれぞれ取り付けられた４つの四角柱状の脚体７とを有する。
テーブル２は、天板６の一方の短辺６ａが前方に、他方の短辺６ａが前方の反対側となる後方にくるように配置されている。なお、前方と後方とを合わせて、前後方向Ｄと呼ぶことにする。
テーブル２は、前後方向Ｄより、この前後方向Ｄに直交する左右方向の方が短くなるよう配置されている。
【００１９】
脚体７の軸線に直交する水平面での断面は、一辺が長さＡの正方形となっている。そして、４つの脚体７は、それぞれの軸線が天板６に対して直交するように配置され、一端が天板６の下面に取り付けられるとともに他端が不図示の床面上に配置される。
【００２０】
図１及び図３に示すように、物品載置棚３は、床面上に配置される下棚１０と、下棚１０の上端部に連結／分離可能とされる上棚１１とを有する。
下棚１０は、所定の間隔Ｗ１をおいて左右方向に対向するように配置された一対の下側板１２と、一対の下側板１２間に水平面に沿って配置され、両端部が一対の下側板１２に支持される棚板１３、１４とを備えている。
【００２１】
一対の下側板１２の互いに向き合う内面間の距離は、天板６の短辺６ａの長さにほぼ等しいか、わずかに大きい程度に設定されている。
棚板１３、１４は、棚板１３の上方に棚板１４が配置された状態で、それぞれがテーブル２の天板６の下方に位置している。棚板１３の前方側の縁部１３ａ、及び棚板１４の前方側の縁部１４ａは、下側板１２の前方側の縁部１２ａに一致するところまでそれぞれ延びている。
棚板１３の後方側の縁部１３ｂ、及び棚板１４の後方側の縁部１４ｂは、一対の下側板１２の後方側の縁部１２ｂよりも前後方向Ｄに沿って内側となる範囲に、縁部１２ｂから脚体７の一辺が長さＡだけ間隔を有して配置されている。
【００２２】
そして、図２及び図３に示すように、一対の下側板１２の間であって、棚板１３の縁部１３ｂ及び棚板１４の縁部１４ｂより後方の範囲が、内部にデスク本体２の後方の２つの脚体７を収容可能な収容部１５として構成される。
また、図３及び図４に示すように、一対の下側板１２の上端部には、上方に向かって突出する突出部１６ａ、１６ｂが前後方向Ｄに並んでそれぞれ設けられている。
【００２３】
図１及び図３に示すように、上棚１１は、下棚１０と同様に間隔Ｗ１をおいて左右方向に対向するように配置された一対の上側板１９と、一対の上側板１９間に水平面に沿って配置され、両端部が一対の上側板１９に支持される棚板２０、２１とを備えている。
なお、上側板１９と下側板１２で、側板を構成する。
上側板１９の奥行き（前後方向Ｄの長さ）は、下側板１２の奥行きと等しく設定されている。
【００２４】
棚板２１は、棚板２０の上方に配置されている。下棚１０に上棚１１を連結したときに、それぞれの棚板２０、２１がテーブル２の天板６の上方に位置するように、上側板１９の下端部から棚板２０の上面までの距離と下側板１２の高さの和が、天板６の上面の高さより大きくなるように設定されている。
棚板２１は一対の上側板１９の上端部にそれぞれ取り付けられていて、棚板２０は一対の上側板１９の上下方向に中間部にそれぞれ取り付けられている。
棚板２０の前方側の縁部２０ａは上側板１９の前方側の縁部に一致するところまで延びていて、棚板２０の後方側の縁部２０ｂは上側板１９の後方側の縁部に一致するところまで延びている。
棚板２１の前後方向Ｄの両縁部は、棚板２０と同様に構成されている。
【００２５】
図３及び図４に示されるように、一対の上側板１９の下端部には、下棚１０の突出部１６ａ、１６ｂが嵌合可能な穴部２２ａ、２２ｂがそれぞれ上方に向かって形成されている。
この上棚１１の穴部２２ａ、２２ｂが、下棚１０の突出部１６ａ、１６ｂとそれぞれ嵌合することで、下棚１０に上棚１１が連結される。
このように、下棚１０と上棚１１は、左右方向の幅及び奥行きが互いに等しく設定されていて、下棚１０と上棚１１を連結させたときに、幅及び奥行きが一定である一体感のある物品載置棚３が構成される。
【００２６】
下棚１０に上棚１１を連結することで、図３に示すように、下棚１０の一対の下側板１２と棚板１４、及び上棚１１の一対の上側板１９と棚板２０により、開口２３が形成される。言い換えれば、物品載置棚３は、開口２３が設けられる位置において上下に分割可能とされている。
【００２７】
以上のように構成されたテーブル２と物品載置棚３は、テーブル２の一方の短辺６ａを前方に、他方の短辺６ａを後方に配置し、物品載置棚３の開口２３に天板６を挿通させた状態で、テーブル２の後方の２つの脚体７を収容部１５内に収容して組み付けられる。
このように、物品載置棚３の開口２３に天板６を挿通せる挿通方向は、前後方向Ｄとなる。
物品載置棚３にテーブル２を組み付けるときは、まず、下棚１０から上棚１１を分離し、下棚１０を跨ぐようにしてテーブル２の後方の２つの脚体７を収容部１５内に収容するとともに、テーブル２の前方の２つの脚体７を下棚１０の前方に配置する。
次に、下棚１０に上棚１１を連結する。すると、棚板２０、２１は、天板６に干渉することなく天板６の上方に配置される。
【００２８】
なお、図３に示すように、下棚１０の一方の下側板１２とテーブル２の天板６は、固定部２５によりそれぞれ固定されている。
固定部２５は、前方から見てＬ字型の固定部材２６と、固定部材２６の一端と一方の下側板１２とを固定するネジ部材２７と、固定部材２５の他端と天板６の下面とを固定するネジ部材２８とで構成される。
【００２９】
本実施形態の組合せ家具１の第一の使用形態では、図１に示すように、物品載置棚３に対して前方のみにテーブル２が延びるように配置される。テーブル２と物品載置棚３をこのような形態で用いたときには、使用者の便宜のために、例えば物品載置棚３の前方に椅子Ｃ１を配置して組合せ家具１を用いても良い。
【００３０】
また、本実施形態の組合せ家具１の第二の使用形態として、図５に示すように、使用者の使用の便宜に応じて、物品載置棚３に対してテーブル２を後方に移動させ、物品載置棚３の前方及び後方における天板６の前後方向Ｄの長さを適宜変更して使用することができる。
このとき、テーブル２を移動する前に、固定部２５において天板６の下面を固定しているネジ部材２８を一度取り外し、テーブル２の前後方向Ｄの位置を調節してから再び天板６の下面にネジ部材２８を取り付ける。
そして、組合せ家具１をこのような使用形態で用いたときには、使用者の便宜のために、例えば、テーブル２における物品載置棚３の前方及び後方の各部分に、椅子Ｃ２及び椅子Ｃ３をそれぞれ配置しても良い。このとき、一人目の使用者が椅子Ｃ２に座ってテーブル２における物品載置棚３の前方の部分を使用しつつ、前方から物品載置棚３を使用することができる。そして、二人目の使用者が椅子Ｃ３に座ってテーブル２における物品載置棚３の後方の部分を使用しつつ、後方から物品載置棚３を使用することができる。
【００３１】
以上説明したように、本実施形態の組合せ家具１によれば、棚板１３、１４の両側にテーブル２の脚体７がそれぞれ配置されているので、テーブル２は４つの脚体７の間に棚板１３、１４を挟みながら、この４つの脚体７により自立した状態である。このため、物品載置棚３に対してテーブル２を容易に移動させることができる。
また、天板６よりも下方に位置する棚板１３、１４の後方には収容部１５が設けられているので、組合せ家具１を第一の使用形態にした状態では、テーブル２の後方に設けられた脚体７を収容部１５内に収容させた状態とすることができる。このため、第一の使用形態で、脚体７が物品載置棚３からはみ出すことで他の設備を使用したり、壁面に寄せて使用したりする際に支障とならないようにすることができる。
【００３２】
また、棚板１３の縁部１３ｂ及び棚板１４の縁部１４ｂが一対の下側板１２の縁部１２ａよりも前方に位置することで、収容部１５が構成されているので、これらの縁部１３ｂ、１４ｂにテーブル２の後方に設けられた脚体７を当接させるように配置することで、収容部１５内に脚体７を容易に収容し、物品載置棚内部３内に配置された状態とすることができる。
また、脚体７が、平面視で長方形に形成された天板６の下面の四隅にそれぞれ取り付けられている。したがって、後方に設けられた２つの脚体７を収容部１５内に収容することで、物品載置棚３から脚体７だけでなく天板６も、後方にはみ出してしまわないようにすることができる。
【００３３】
また、物品載置棚３が、開口２３が設けられた位置において上下に分割可能になっている。そこで、物品載置棚３を開口２３が設けられた位置で下棚１０と上棚１１に分離し、両棚１０、１１の間にテーブル２の天板６を配置して、再び下棚１０に上棚１１を連結する。
これにより、物品載置棚３の開口２３内にテーブル３の天板６が挿通された状態に、物品載置棚３とテーブル２を容易に組み合わせることができる。
【００３４】
以上、本発明の実施形態について図面を参照して詳述したが、具体的な構成はこの実施形態に限られるものではなく、本発明の要旨を逸脱しない範囲の構成の変更等も含まれる。
例えば、上記実施形態では、一対の下側板１２の互いに向き合う内面間の距離は、天板６の短辺６ａの長さにほぼ等しいか、わずかに大きい程度に設定されているとした。しかし、一対の側板１２の内面間の距離が天板６の短辺６ａの長さより大きいときには、図６に示すように、収容部３１の左右方向の幅を、テーブル２の左右方向に隣り合う２つの脚体７の外側同士の幅寸法Ｗ２と等しく設定しても良い。
収容部３１をこのように構成することで、収容部３１内においてテーブル２の後方に設けられた２つの脚体７が収容部３１と嵌合された状態になる。このため、この２つの脚体７を左右方向に位置決めすることができる。
【００３５】
また、上記実施形態では、物品載置棚３の棚板１３、１４の後方に収容部１５を設けた。しかし、図７に示すように、棚板１３の前方側の縁部１３ａ、及び棚板１４の前方側の縁部１４ａを、一対の下側板１２の前方側の縁部１２ａよりも後方に脚体７の一辺が長さＡだけ間隔を有して配置しても良い。このとき、一対の下側板１２の間であって、棚板１３の縁部１３ａ及び棚板１４の縁部１４ａより前方の範囲が、内部にデスク本体２の前方に設けられた２つの脚体７を収容可能な収容部３４として構成される。
物品載置棚３をこのように構成することで、前方に設けられた２つの脚体７を収容部３４内に収容することで、物品載置棚３からテーブル２が前方にはみ出すのを抑えることができる。
【００３６】
また、上記実施形態では、棚板１３、１４、２０、２１（以下、「棚板１３等」と称する）をこれら棚板１３等の左右方向に設けられた一対の下側板１２、１９でそれぞれ支持した。
しかし、棚板１３等を支持する位置は棚板１３等の左右方向に対するに限ることなく、棚板１３等の前方や後方であっても良い。
【符号の説明】
【００３７】
１    組合せ家具
２    テーブル
３    物品載置棚
６    天板
７    脚体
１３、１４、２０、２１  棚板
１３ｂ、１４ｂ  縁部
１５、３１、３４  収容部
２３  開口
Ｄ  左右方向（挿通方向）
Ｗ２  幅寸法
【図１】
2011024631.tif 000003
【図２】
2011024631.tif 000004
【図３】
2011024631.tif 000005
【図４】
2011024631.tif 000006
【図５】
2011024631.tif 000007
【図６】
2011024631.tif 000008
【図７】
2011024631.tif 000009